(57)【要約】  本発明は、エンコードされたデータNRZをデータ処理するためのデータ処理手段50をもつ、光記録装置に関する。当該データ処理手段は、前記エンコードされたデータNRZを、第2のクロック周波数信号CLK2を使って、第１の複数(m本)のデータチャネル65へとデマルチプレクス（逆多重化）するための逆多重化手段DEMUXを更にもつ。このデータチャンネルはフレキシブルな伝送路（所謂フレキ）40を通じて伝送され、各データチャネル65は、各データチャンネル用の少なくとも1本の導電手段41をもつ。光ピックアップユニットOPU 20では、第1のクロック周波数信号CLK1を用い、再タイミング手段23にて、第1の複数(m本)のデータチャネル65の同期をとる。これによって、複数のデータチャネル65の並行伝送の結果、当該光記録装置のデータ処理手段50と光ピックアップユニットOPU 20との間で当該光記録装置は増大した実効バンド幅をもつであろう。
2009541906.tif 000002
【特許請求の範囲】
【請求項１】
第1のクロック周波数信号を生成可能なクロック生成手段と、第2のクロック周波数信号を用いて、エンコードされたデータを第1の複数のデータチャネルへと逆多重化するための逆多重化手段とを有するデータ処理手段であって、前記エンコードされたデータをデータ処理するための当該データ処理手段と、
照射源と、前記第1の複数のデータチャネルを前記第1のクロック周波数信号と同期を取るための再タイミング手段を有する、前記照射源に対応する駆動装置とを有する光ピックアップユニットと、
前記光ピックアップユニットを前記データ処理手段と接続し、前記第1の複数のデータチャネル内の各データチャネルに対して少なくとも1本の導電手段を有するフレキシブルな伝送路とを有する、付随する光記録担体上に情報を記録するための光記録装置。
【請求項２】
前記光ピックアップユニットが、第1の複数のデータチャネルを一つ以上のデータチャネルへと多重化するための多重化手段を有する、請求項1に記載の装置。
【請求項３】
前記フレキシブルな伝送路が、前記第1のクロック周波数信号を前記光ピックアップユニットへと伝送するための少なくとも1本の導電手段を更に有する請求項1に記載の装置。
【請求項４】
前記少なくとも1本の導電手段が差動信号接続部の一部を形成する、請求項1又は3の何れか一項に記載の装置。
【請求項５】
前記少なくとも1本の導電手段が直列信号接続部の一部を形成する、請求項1又は3の何れか一項に記載の装置。
【請求項６】
前記駆動装置がクロック検知手段を更に有する、請求項3に記載の装置。
【請求項７】
前記駆動装置が、前記クロック検知手段と接続されたクロック生成手段を更に有する、請求項6に記載の装置。
【請求項８】
前記第2のクロック周波数信号が前記第1のクロック周波数信号から抽出される、請求項1に記載の装置。
【請求項９】
前記光ピックアップユニットが、複数の並行してエンコードされたデータチャネルを受信するための書込みストラテジ生成器を有する、請求項1又は2の何れか一項に記載の装置。
【請求項１０】
伝送されたテスト信号の位相差を検知することにより、前記第1の複数のデータチャンネルの校正手順を更に実施する、請求項1に記載の装置。
【請求項１１】
光担体上に情報を記録するための光記録装置を制御し、前記エンコードされたデータをデータ処理するためのデータ処理手段であって、当該データ処理手段は、
−  第1のクロック周波数信号を生成可能なクロック生成手段と、
−  第2のクロック周波数信号を用いて、エンコードされたデータを第1の複数のデータチャネルへと逆多重化するための逆多重化手段とを有し、光ピックアップユニットを当該データ処理手段と接続するフレキシブルな伝送路を通じて、前記複数のデータチャネルが、光記録装置の前記光ピックアップユニットへと伝送され、前記フレキシブルな伝送路が前記第1の複数のデータチャネル内の各データチャネルに対して少なくとも1本の導電手段を有する、データ処理手段。
【請求項１２】
第1のクロック周波数信号を生成可能なクロック生成手段を有するデータ処理手段によって、エンコードされたデータをデータ処理するステップと、
第2のクロック周波数信号を用いて、前記エンコードされたデータを第1の複数のデータチャネルへと逆多重化手段にて逆多重化するステップと、
フレキシブルな伝送路によって、第1の複数のデータチャネル内の各データチャネルを前記フレキシブルな伝送路を通じて伝送するステップと、
前記第1のクロック周波数信号を用いて、前記第1の複数のデータチャネルを、再タイミング手段にて同期を取るステップとを有する、光担体上に情報を記録するための光記録装置を動作させるための方法であって、前記フレキシブルな伝送路が、前記光ピックアップユニットを前記データ処理手段と接続し、更に当該伝送路が各データチャネルに対して少なくとも1本の導電手段を有する、光記録装置を動作させるための方法。
【請求項１３】
データストレージ手段をもつ、少なくとも1台のコンピュータを有するコンピュータシステムが、請求項12によって光記録装置を制御することを可能にする、コンピュータプログラム。
【発明の詳細な説明】
【技術分野】
【０００１】
本発明は、光記録装置、光記録装置を制御するための対応するデータ処理手段、及び光記録装置を動作させるための対応する方法に関する。特に本発明は、光記録装置に対する改善された書込み速度を供する。
【背景技術】
【０００２】
光記録ドライブは、光ディスクに対向して位置し、光ディスクに最も近接に関係している移動可能な光ピックアップユニットOPUを、通常はもっている。当該OPUは次に、従来から「フレキ」又は「フレキケーブル」としても知られている柔軟性をもつ（フレキシブルな）信号伝送路部品を介し、中央デジタル信号プロセッサDSPと接続されている。当該信号伝送路部品は、2枚のフィルムに挟まれた複数の平面導線、又は集められコーティングされた柔軟性をもつワイヤのセットである。フレキは、OPUがDSPと接続されたままで、同時にOPUの十分な移動を可能にする。DSP（又は同様のユニット）はOPUの動作を制御し、エンコードしたデータ及びクロック信号をOPUに供給する。例えば、米国特許公開公報US 2004/033814を参照。
【０００３】
光ピックアップユニットOPU内では、書換え型の媒体用の光ディスク又は光担体の光記録の際に、当該光ディスク又は光担体上に書き込まれねばならないデータに応じて、相変化材料を選択的に結晶化又はアモルファスにするためにレーザビームが照射されることができるよう、書込み用のレーザが配置されている。同様に、追記型の媒体用には、当該光ディスク又は光担体上に書き込まれねばならないデータに応じて、（染料である）材料を選択的に変更/焼き切る/変形させるため、又はさせないために、レーザビームが照射される。
【０００４】
レーザは、チャネルレート自身よりも高い周波数成分を含むパルス列を用いて駆動される。このパルス列は、エンコードされたデータに応じた所与の長さで「マーク」又は「スペース」を書き込むためのマルチレベルのパルスの形態をもっている。ゼロ復帰しないNRZデータとしても知られるエンコードされたデータの、代替的には8-14変調されたEFMデータの、より高い時間分解能とマルチパワーレベルとをもつパルス列への変換は、OPU上に位置している所謂書込みストラテジ生成器WSGによって実施される。
【発明の開示】
【発明が解決しようとする課題】
【０００５】
光ディスク、特にBlu-RayディスクBDに対する書込み速度の増大という現在のトレンドと共に、エンコードされたデータ及びクロック信号のDSPからOPUへの並行伝送は上限に近づきつつある。これは、通常の物理的な設計上の拘束に起因して、フレキのバンド幅が限定されているからであり、フレキ内での長さの違いに加え、（容量性負荷を変化させる）OPUの動きに起因する様々なフレキ位置が、様々な周波数と、伝送されたデータ及び/又はクロック信号中に、位置に依存した信号伝播遅れとを生じる。更に、エンコードされたデータは、信頼性のあるセットアップとクロック信号に関連したホールドタイムとを必要とする。試算は、BDの7xの書込み速度（500 MHz/2ナノ秒）が斯様な上限を表すことを示している。
【０００６】
フレキによって強いられた拘束を減じるための、及び言い換えると、光ドライブの書込み速度を増大するための解決策が米国特許公開公報 US 2004/0179451で開示されている。DSPへ矩形波伝送器を供し、OPUへ対応する受信手段、特に矩形波変更手段を供することにより、OPUに対する伝送速度が増大される。これは、伝送周波数を増大できるよう、当該矩形波変更手段が、入力されてくる矩形波の立ち上がりレベルのエッジを上げること、又は立下りレベルのエッジを下げることを可能にすることによって実施される。しかし、この解決策は伝送問題を効果的に解決はしない。何故ならこの解決策はフレキによって強いられた物理的な設計上の拘束を軽減することを基本的に模索しており、フレキの設計上の拘束を改善、又は解除してはいないからである。
【０００７】
これゆえ、改善された光記録装置は好都合であろうし、特に、より効率の高い、及び/又は信頼性のある光記録装置は好都合であろう。
【０００８】
従って、本発明は一つ以上の、上で説明された欠点を単独で、又は何らかの組み合わせで軽減し、緩和し、又は削除することを好ましくは模索する。特に、上で説明された高速書込みに関する従来の問題を解決する光記録装置を供することが、本発明の目的として見てとれよう。
【課題を解決するための手段】
【０００９】
この目的及び幾つかの他の目的は、付随する光担体上に情報を記録するための光記録装置を供することによって、本発明の第1の態様で達成され、当該光記録装置は、
−  第1のクロック周波数信号CLK1を生成可能なクロック生成手段と、第2のクロック周波数信号CLK2を使って、エンコードされたデータNRZを第1の複数（m本）のデータチャネルへと逆多重化するための逆多重化手段とを更に有するデータ処理手段であって、前記エンコードされたデータNRZをデータ処理するための当該データ処理手段と、
−  第1の複数（m本）のデータチャネルを第1のクロック周波数信号CLK1と同期させるための再タイミング手段を有する駆動装置LDDであって、照射源と、対応する当該駆動装置LDDとを有する光ピックアップユニットOPUと、
−  前記光ピックアップユニットOPUをデータ処理手段と動作的に接続し、第1の複数（m本）のデータチャネル内の各データチャネルに対して少なくとも1本の導電手段を有する、フレキシブルな伝送路とを有する。
【００１０】
複数のデータチャネルの並行伝送の結果、光記録装置のデータ処理手段と光ピックアップユニットOPUとの間の増大した実効バンド幅をもつ光記録装置を得るために、本発明は特に、しかし排他的ではなく好都合である。加えるに、本発明は既に存在している電子部品による実行が比較的容易である。
【００１１】
本発明の一つの実施例では、光ピックアップユニットOPUは、第1の複数（m本）のデータチャネルを、再タイミング手段から出力された後に、一つ以上（p本）のデータチャネルへと多重化するための多重化手段を有する。データチャネルの数が2本以上の場合は、当該手段は他に可能な周波数よりも低いクロック周波数でOPUを動作させる可能性を促進する。
【００１２】
一般に、第1のクロック周波数信号CLK1を光ピックアップユニットOPUへと伝送するために、フレキシブルな伝送路、即ちフレキは、少なくとも1本の導電手段を更に有する。これは、第1のクロック周波数CLK１を使うことにより、第1の複数(m本）のデータチャネルがOPU上で同期をとることができる容易な可能性を供する。代替的には、当該第1のクロック周波数CLK1はOPU上で生成されることができる。
【００１３】
少なくとも一つの導電手段は、差動信号接続の一部、例えば2値レベルのLVDS（低電圧差動信号）接続又は同様のものを形成する。代替的には、少なくとも一つの導電手段は、周波数及び/又は必要とされる電磁シールドEMCの要件に応じて、直列信号接続の一部を形成する。
【００１４】
好都合なことに、レーザ駆動装置LDDは、ゼロレベル検知器、中位レベル検知器、又は同様の検知器などのクロック検知手段を更に有する。この場合、レーザ駆動装置LDDは、ロバストなクロック信号が抽出できるよう、クロック検知手段と接続されたクロック生成手段を更に有する。当該クロック生成手段は、例えばPLL回路又は同様のものである。
【００１５】
好都合なことに第2のクロック周波数信号CLK2は、第1のクロック周波数信号CLK1から、これら二つのクロック信号間で単純で信頼性の有る接続を供するために、例えば周波数分割器によって抽出される。これは、本発明の設計及び実行が簡略化される長所をもつ。
【００１６】
幾つかの好都合な実施例では、光ピックアップユニットOPUは、複数（m本：p本）の並行にエンコードされたデータチャネルを受信するための書込みストラテジ生成器を有する。上で説明されたように、これは、他に可能な周波数よりも低いクロック周波数でOPUを動作させる可能性を付与する。
【００１７】
信頼性のある、安定した光記録を促進するために、複数のデータチャネル用の最適な伝送位相を得ることができるよう、伝送されたテスト信号の位相差を検知することにより、本装置は第1の複数（m本）のデータチャネルの校正手順を更に実施する。
【００１８】
第2の態様では、本発明は、付随する光担体上に情報を記録するために、付随する光記録装置を制御するデータ処理手段に関しており、当該データ処理手段はエンコードされたデータNRZをデータ処理するために配置され、
−  第1のクロック周波数信号CLK1を生成可能なクロック生成手段と、
−  前記エンコードされたデータNRZを第1の複数(m本)のデータチャネルへと逆多重化する逆多重化手段とを有する。ここで、前記複数のデータチャネルは、光ピックアップユニットOPUをデータ処理手段と動作的に接続するフレキシブルな伝送路を通じ、付随する光記録装置の光ピックアップユニットOPUへと伝送されるよう意図され、前記フレキシブルな伝送路は、第1の複数(m本)のデータチャネル内の各データチャネルに対して、少なくとも1本の導電手段を有する。
【００１９】
第3の態様では、本発明は光担体上の情報の記録用の光記録装置を動作させるための方法に関し、当該方法は、
−  第1のクロック周波数信号CLK1を生成可能なクロック生成手段を有するデータ処理手段にて、エンコードされたデータNRZをデータ処理するステップと、
−  逆多重化手段にて、第2のクロック周波数信号CLK2を用い、前記エンコードされたデータNRZを第1の複数（m本）のデータチャネルに逆多重化するステップと、
−  光ピックアップユニットOPUを前記データ処理手段と動作的に接続し、各データチャネルに対して少なくとも1本の導電手段を有するフレキシブルな伝送路であって、当該フレキシブルな伝送路を通じ、第1の複数（m本）のデータチャネル内の各データチャネルを当該フレキシブルな伝送路により伝送するステップと、
−  再タイミング手段により、第1のクロック周波数信号CLK1を用いて、前記第1の複数(m本)のデータチャネルの同期を取るステップとを有する。
【００２０】
第4の態様では、本発明は、付随するデータストレージ手段をもつ、少なくとも1台のコンピュータを有するコンピュータシステムが、本発明の第3の態様による光記録装置を制御することを可能にするコンピュータプログラムに関する。
【００２１】
コンピュータシステムが本発明の第2の態様の動作を実施することを可能にするコンピュータプログラムにより本発明が実行される、本発明のこの態様は、特に、しかし排他的ではなく好都合である。従って、前記光記録装置を制御するコンピュータシステムにコンピュータプログラムをインストールすることにより本発明に従って動作するよう、幾つかの既知の光記録装置が変更されることが思慮される。斯様なコンピュータプログラムは何らかの種類のコンピュータで読み取り可能な媒体、例えば磁気ベース若しくは光ベースの媒体、又はコンピュータベースのネットワーク、例えばインターネットで供される。
【００２２】
本発明の第1、第2、第3、及び第4の態様の各々は、何れかの他の態様と組み合わされることができる。本発明のこれらの態様及び他の態様は、これ以降説明される実施例から明らかになり、同実施例を参照して説明されよう。
【００２３】
本発明はここで、添付の図を参照して、例のみの態様にて説明されよう。
【発明を実施するための最良の形態】
【００２４】
図1は、本発明による光記録装置又はドライブ、及び光情報担体1を示している。当該担体1は、保持手段30にて固定され、回転される。
【００２５】
当該担体1は、照射ビーム5を用いて情報を記録するのに適した材料を有する。この記録材料は、例えば光−磁気タイプ、相変化タイプ、染料タイプ、Cu/Si等の金属合金、又は如何なる他の適切な材料であってもよい。情報は、書換え型媒体では「マーク」とも呼ばれ、追記型の媒体では「ピット」とも呼ばれる、光学的に検知可能な効果の形式で、前記光担体1上に記録される。
【００２６】
光学記録装置、即ち光学ドライブはアクチュエータ手段21、例えば電気ステップモータによって移動が可能な、時に光ピックアップOPUと呼ばれる光学ヘッド20を有する。当該光学ヘッド20は、光検知システム10と、レーザ駆動装置30と、照射源4と、ビームスプリッタ6と、対物レンズ7と、当該レンズ7を前記担体1の半径方向及びフォーカス方向の両方に移動させることができるレンズ移動手段9とを有する。
【００２７】
光検知システム10の機能は、前記担体1から反射された照射光8を電気信号へと変換することである。従って、当該光検知システム10は、一つ以上の電気出力信号を生成できる様々な光検知器、例えばフォトダイオード、電荷結合素子CCD等を有する。当該光検知器は、エラー信号、即ちフォーカスエラーFE及びラジアルトラッキングエラーREの検知を可能にするよう、空間的に互い違いに十分な時間分解能をもって配置される。フォーカスエラーFE信号及びラジアルトラッキングエラーRE信号はデータプロセッサ50へ伝送され、担体1上で照射ビーム5のラジアル方向の位置とフォーカス方向の位置とを制御するために、PID（比例-積分-微分）制御手段を用いて動作される、一般に知られているサーボメカニズムが適用される。
【００２８】
照射ビーム又は光ビーム5を発光するための照射源4は、例えば可変パワーをもち、恐らくは可変照射波長をもつ半導体レーザであり得る。代替的には、前記照射源4は一つより多くのレーザを有する。本発明で言うところの用語「光」は、光記録及び/又は光再生に適した、可視光、紫外光UV、赤外光IR等などの何らかの種類の電磁照射を有すると考えられる。
【００２９】
当該照射源4は、レーザ駆動装置LDD 22によって制御される。当該レーザ駆動装置LDD 22は、共通の伝送路40、即ちフレキを通じてデータプロセッサ50から伝送された第1のクロック信号CLK1とデータ信号NRZとに応答して、駆動電流を前記照射源4へ供するための電気回路手段（図1には示されていない）を有する。
【００３０】
当該データプロセッサ50は、共通の伝送路40を通じて前記光検知手段10から解析信号も受信する。当該データプロセッサ50は、図1に概観的に例示されているように、アクチュエータ手段21と、照射源4と、レンズ移動手段9と、回転手段30とに制御信号も出力する。同様に、線61で示されるように、当該データプロセッサ50は書き込まれねばならないデータを受信することができ、線60で示されるように、前記データプロセッサ50は読み取りプロセスからのデータを出力する。前記データプロセッサ50は図2では単一のユニットとして描かれているが、当該データプロセッサ50は、光記録装置内に位置し、恐らくは幾つかのユニットは前記光学ヘッド20内に位置されているであろう、複数の内部接続されたデータ処理ユニットであるかも知れないことを等しく理解されたい。
【００３１】
図2は、データ処理手段50と、光ピックアップユニットOPU 20と、当該データ処理手段50及び当該光ピックアップユニットOPU 20を内部接続しているフレキシブルな伝送路40とを概観的に示している。
【００３２】
前記データ処理手段50は、担体1上に書き込まれねばならない受信データ61に基づき、エンコードされたデータNRZをデータ処理する。前記データ処理手段50は、光担体1（図2には示されていない）上に書き込まれねばならないデータ61を受信する。当該データは、従来からのエンコーダ53によって初めにエンコードされる。このエンコーディングは、前記担体1の適切なフォーマットに従って実施される。コンパクトディスクCDフォーマット、デジタル万能ディスクDVD、及びBlu-Rayディスク BDなどの様々な担体フォーマット上へのデータの記録は、書き込み用の光学ヘッド20へと伝送されねばならないNRZ信号を得るために、標準エンコード方式によってデータ61をエンコードすることにより実施される。下記の表に、対応する担体のフォーマットと、エンコード方式とが羅列されている。
【表１】
2009541906.tif 000003
EFMは8-14変調の一般に知られている省略形であり、PPはパーシャルプロダクトの省略形である。本発明は、上に羅列された担体のフォーマットに限定されるものではない。それよりむしろ、本発明は、一般に光担体の高速書込みスピードを得るのに特に適している。
【００３３】
データ処理手段50は、第1のクロック周波数信号CLK1と第2のクロック周波数信号CLK2とを各々生成することができる、第1のクロック生成手段51及び第2のクロック生成手段52をもっている。当該クロック生成手段52は、例えば周波数分割又は同様の方法によって第2のクロック信号CLK2を抽出するために、第1のクロック信号CLK1を使用する。第2の周波数信号CLK2の周波数は、第1のクロック周波数より小さく、及び好ましくは第1のクロック周波数信号CLK1の周波数を整数で除したものに実質的に等しく、これゆえ、第1のクロック周波数信号CLK1と関連がある。一つの実施例では、前記整数は、光記録装置の設計を簡略化するので、逆多重化されたデータチャネル65の数、mに等しい。
【００３４】
第1のクロック周波数信号CLK1は、良く知られたクロック合成法（例えばPLL）を用いて、クロック周波数信号CLKから抽出されることができる。代替的には、より低い精度が必要とされるのであれば、第1のクロック周波数信号CLK1は付随するエンコードされたデータNRZ、所謂NRZクロック、又は良く知られたクロック回収技術を用いるEFMクロックから取り出される、又は回収されることができる。特に、第1のクロック周波数信号CLK1はNRZクロックと実質的に同じ周波数であることが可能である。
【００３５】
第1のクロック周波数信号CLK1の周波数及び/又はデータチャネル65の周波数は、例えばBlu-RayディスクBDの書込み用では50 MHZ-500 MHzの範囲、又は100 MHZ-400 MHzの範囲、又は代替的には200 MHz-300 MHzの範囲にある。第1のクロック周波数信号の周波数CLK1及び/又はデータチャネル65の周波数は、別の実施例では最大1000 MHz、900 MHz、800 MHz、700 MHz、600 MHz、500 MHz、400 MHz、350 MHz、300 MHz、250 MHz、200 MHz、150 MHz、又は100 MHzに限定されている。特に、第1のクロック周波数信号CLK1の周波数及び/又はデータチャネル65の周波数は、OPU 20への実質的に歪の無い伝送を得るよう、フレキ40の周波数バンド幅より下に設定されることがある。今日のフレキケーブル技術では、この限度は大体150 MHzから200 MHzである。
【００３６】
データ処理手段50は、第2のクロック周波数信号CLK2を用いて、エンコードされたデータNRZを第1の複数m個のデータチャネルへと逆多重化する、逆多重化手段DEMUXを更に有する。当該NRZデータの逆多重化は、一旦本発明の原理が理解されると当業者にとっては容易に利用可能な、例えば周波数領域で又は時間領域での多数の種々異なる態様にて実施されることができる。
【００３７】
より詳細が図3に示されているフレキシブルな伝送路40は、データ処理手段50をもつ光ピックアップユニットOPU 20と動作的に接続されており、当該伝送路40は、これにより、第1の複数mのデータチャネル65の形式で前記NRZデータをOPUへと伝送する。当該フレキシブルな伝送路40は、第1の複数mのデータチャネル内の各データチャネル65に対し、少なくとも1本の導電手段41を有する。当該導電手段41は好ましくは、低電圧差動信号LVDS接続などの差動信号接続であるが、周波数の要件及び必要とされる電磁シールドEMCに応じて、単一の直列接続なこともある。データチャネル65の本数mは、2、3、4、5、6、7、8、9、10、11、12、13、14、15、16、17、18、19、20、又はそれよりも多い。
【００３８】
図2に示されるように、光ピックアップユニットOPU 20は、照射源4と、例えば半導体レーザである照射源4の書込み動作を制御するために、対応する駆動装置LDD 22とを有する。当該駆動装置22は特に、第1の複数mのデータチャネル65を第1のクロック周波数信号CLK1 と同期させるために、再タイミング手段23を有する。当該第1のクロック周波数信号CLK1は、伝送路40を介し、エンコードされたデータチャネル65と並行してOPU 20へと伝送される。
【００３９】
図4は、光ピックアップユニットOPU 20の実施例を概観的に示しており、受信した第1のクロック周波数信号CLK1はクロック検知手段24によってデータ処理される。第1のクロック周波数信号CLK1がLVDS接続を介して伝送される場合を考慮して、クロック検知手段24はゼロレベルの比較器又は同様のものである。検知されたクロック信号は、クロック検知手段24からクロック生成器25へと更に伝送される。第1のクロック周波数信号CLK1を取り出すための前記クロック生成器25は、位相がロックされたループPLL回路若しくは同様のものであるか、又は安定でロバストなPLLの派生物である。逆多重化されたデータチャネル65と同期を取るために、第1のクロック周波数信号CLK1が、クロック生成器25から再タイミング手段23へと伝送される。
【００４０】
並行して受信したデータをデータ処理するために、複数の逆多重化されたデータチャネル65が、再タイミング手段23から書込みストラテジ生成器WSG 26へと更に伝送される。これに続き、情報を光担体1（図4には示されず）へ書き込めるよう、当該書込みストラテジ生成器WSG 26は、対応する書込みパルス列を照射源4へと送る。
【００４１】
図5は、図4に示された実施例と同様の光ピックアップユニットOPU 20の代替の実施例を概観的に示している。しかし、図5の実施例では、当該データチャネル65を一つ以上のデータチャネル、即ち1と等しいか、それより多い（p≧１）p本のデータチャネルへと多重化するために、再タイミング手段23の後で、複数mのデータチャネル65がマルチプレクサMUXへと伝送される。この多重化プロセス用に、第3のクロック信号CLK3がクロック生成器25によって生成され、前記MUXへと伝送される。特別な実施例としては、結果として生じるデータチャネルの本数が1（p=1）の場合があり、これによって当初の直列のNRZデータ信号が抽出される。
【００４２】
例示的な例として、8xの書込み速度（528 MHz）でのBDの書込みが考慮されることができる。この実施例では、第1のクロック周波数信号CLK1の周波数はチャネルクロック周波数528 MHzの1/4、即ち132 MHzであり、第2のクロック周波数信号CLK2の周波数はCLK1と同様な（又は同一の）周波数分割（例えば、これも132 MHz）によって得られ、逆多重化されたデータチャネル65の本数は4（m=４）と設定する。受信側では、駆動装置22がデータチャネル65をm=4からp=2へと更に下方多重化する。書込みストラテジ生成器WSGは、その後、双対のデータストリームを受信し、データ処理する。別の例では、逆多重化されたデータチャネルの本数は2（m=2）と設定され、前記書込みストラテジ生成器WSG 26に伝送される直列の信号（p=1）へと下方多重化される。
【００４３】
信頼性のある、安定した光記録を促進するために、複数のデータチャネルに対する最適な伝送位相になるよう、伝送されたテスト信号の位相差を検知することにより、前記装置は第1の複数mのデータチャネル65の校正手順を更に実施する。ある実施例では、種々異なる位相をもつ様々なテスト信号がデータチャネル65を通じて伝送され、テスト信号の受信側（即ちOPU 20）で位相のジャンプが観察され、所与のテスト位相は所望されないとの解析があると、それから先は、この特定のテスト位相から180度シフトして伝送が実施されることができる。
【００４４】
図6は、本発明による方法のフローチャートである。当該方法は、
S1  第1のクロック周波数信号CLK1を生成可能なクロック生成手段51を有するデータ処理手段50にて、エンコードされたデータNRZをデータ処理するステップと、
S2  逆多重化手段DEMUXにて、第2のクロック周波数信号CLK2を用い、前記エンコードされたデータNRZを第1の複数mのデータチャネル65へ逆多重化するステップと、
S3  前記データ処理手段50をもつ光ピックアップユニットOPU 20と動作的に接続され、各データチャネル65 に対して少なくとも1本の導電手段41 を更に有するフレキシブルな伝送路40であって、当該フレキシブルな伝送路40を通じ、第1の複数mのデータチャネル内の各データチャネル65を当該フレキシブルな伝送路40により伝送するステップと、
S4  再タイミング手段23により、第1のクロック周波数信号CLK1を用いて、前記第1の複数mのデータチャネル65の同期を取るステップとを有する。
【００４５】
本発明は具体的な実施例と関連して説明されたが、本発明はここで説明された具体的な形式に限定されることを意図してはいない。それよりむしろ、本発明の範囲は添付の請求項によってのみ限定される。請求項中で、用語「有する」は他の要素の存在又はステップの存在を排除するものではない。加えて、個別の特徴が種々異なる請求項に含まれているものの、これらの特徴は恐らくは好都合に組み合わされ、種々異なる請求項での包含は、特徴の組み合わせが実現可能ではない、及び/又は好都合ではないとは暗示していない。更に、単数の引用は複数を排除してはいない。従って、「a」、「an」、「第1の」、「第2の」等への言及は複数を除外してはいない。更に、請求項中の引用記号は範囲を限定するものとして解釈されるべきではない。
【図面の簡単な説明】
【００４６】
【図１】本発明による光記録装置又はドライブ、及び光情報担体を概観的に示す。
【図２】本発明によるデータ処理手段、光ピックアップユニットOPU、及び前記データ処理手段と前記光ピックアップユニットOPUとに接続しているフレキシブルな伝送路を概観的に示す。
【図３】本発明によるフレキシブルな伝送路を概観的に示す。
【図４】本発明による光ピックアップユニットOPUの実施例を概観的に示す。
【図５】本発明による光ピックアップユニットOPUの代替の実施例を概観的に示す。
【図６】本発明による方法のフローチャートを示す。
【図１】
2009541906.tif 000004
【図２】
2009541906.tif 000005
【図３】
2009541906.tif 000006
【図４】
2009541906.tif 000007
【図５】
2009541906.tif 000008
【図６】
2009541906.tif 000009
【国際調査報告】
2009541906.tif 000010
2009541906.tif 000011